(57)【特許請求の範囲】
【請求項１】
可動の外壁（２８）および前記可動の外壁（２８）のための収納部分（４４）を備える建物（１２）の外壁システム（１０）であって、
前記可動の外壁（２８）は、内部空間（１４）を進入可能な外部空間（１６）から隔て、少なくとも２つの閉鎖位置（５０、５２、５８、６０）の間で可逆的に調整可能であり、各前記閉鎖位置において施錠可能であり、各前記閉鎖位置（５０、５２）において前記内部空間（１４）を外側から隔て、
前記収納部分（４４）は、前記可動の外壁（２８）が移動可能に設置されている少なくとも１つのレール（４６、４８）を備え、前記レール（４６、４８）は、前記可動の外壁（２８）が内部の閉鎖位置（５０）と外部の閉鎖位置（５２）との間で変位可能であるように構成され、前記外部の閉鎖位置（５２、５８、６０）で前記外部空間（１６）の少なくとも一部が前記内部空間（１４）に入り込み、前記内部空間（１４）の面積がこれにより拡大する、外壁システム（１０）であって、
−前記レール（４６、４８）は軌道カーブを形成し、床および／または天井を走るか、または前記レール（４６、４８）は対向する側壁上に設けられ、それぞれ軌道カーブを画定し、
−前記可動の外壁（２８）は、前記軌道カーブに沿って閉鎖位置（５０、５２、５８、６０）の間で移動可能であり、前記軌道カーブ上での走行において中間位置（５６）へ調整可能であり、
−前記可動の外壁（２８）は、前記側壁または前記天井に沿って移動し、
−前記可動の外壁（２８）が前記内部の閉鎖位置にあるとき、前記側壁は前記外部空間（１６）にあり、かつ少なくとも部分的に外壁となり、
−前記可動の外壁（２８）が前記外部の閉鎖位置にあるとき、前記側壁は前記内部空間（１４）にあり、かつ少なくとも部分的に内壁となり、
−前記可動の外壁（２８）が前記中間位置（５６）にあるとき、前記可動の外壁（２８）は前記側壁または前記天井に沿って真っ直ぐに延在し、かつ前記外部空間（１６）および前記内部空間（１４）は完全につながり、
−前記可動の外壁（２８）は少なくとも１つの窓および／または１つの閉鎖可能の扉（３６）を有し、前記扉（３６）は選択的に前記外部空間（１６）に向かって前記内部空間（１４）を開放し、
−１つの閉鎖位置における前記可動の外壁（２８）の内面が前記他方の閉鎖位置における前記可動の外壁（２８）の外面になり、これにより前記可動の外壁（２８）が前記閉鎖位置の間で方向転換する、
ことを特徴とする、外壁システム。
【請求項２】
前記可動の外壁（２８）は、揺動可能に互いに連結されている複数の可動の壁部分（３０、３２、３４）を有することを特徴とする、請求項１に記載の外壁システム。
【請求項３】
前記可動の外壁（２８）は水平または垂直に移行可能であるように設置されていることを特徴とする、請求項１または２に記載の外壁システム。
【請求項４】
平行なレール（４６、４８）が、前記可動の外壁（２８）に隣接して配置されている壁（２２）に少なくとも部分的に沿った前記床および／または天井に配置され、前記壁（２２）は、前記内部空間（１４）と前記外部空間（１６）とを分離することを特徴とする、請求項１〜３のいずれか１項に記載の外壁システム。
【請求項５】
前記外壁は全体として前記軌道カーブに沿って移動可能であることを特徴とする、請求項１〜４のいずれか１項に記載の外壁システム。
【請求項６】
前記軌道カーブはＵ字型またはアーチ型に移行することを特徴とする、請求項１〜５のいずれか１項に記載の外壁システム。
【請求項７】
前記レール（４６、４８）が対向する固定された側壁（２２）の上または中に設置され、前記可動の外壁（２８）が垂直に前記閉鎖位置（５０、５２、５８、６０）の間を移行可能であることを特徴とする、請求項１〜６のいずれか１項に記載の外壁システム。
【請求項８】
前記収納部分（４４）は部屋の天井および／または床と同一平面上に前記部屋で終端し、前記収納部分（４４）は前記天井もしくは前記床の中または上に配置されていることを特徴とする、請求項１〜７のいずれか１項に記載の外壁システム。
【請求項９】
前記外壁システム（１０）は、前記可動の外壁（２８）が前記外部の閉鎖位置（５２、５８、６０）から前記内部の閉鎖位置（５０）へ移動させるためのモーター駆動装置および制御装置を備えることを特徴とする、請求項１〜８のいずれか１項に記載の外壁システム。
【請求項１０】
前記制御装置は手動で、時間制御により、またはセンサーによって起動可能であることを特徴とする、請求項９に記載の外壁システム。
【請求項１１】
前記外壁システム（１０）が床板（１８）および天井板（２４）をさらに備え、前記収納部分（４４）が前記天井板（２４）もしくは前記床板（１８）に設置されていることを特徴とする、請求項１〜１０のいずれか１項に記載の外壁システム。
【請求項１２】
前記外壁システム（１０）は、前記天井板（２４）と前記床板（１８）とを繋ぐ２つの対向する側壁（２０）を有することを特徴とする、請求項１１に記載の外壁システム。
【請求項１３】
前記床板（１８）、前記天井板（２４）および前記側壁（２０）はそれぞれ自立した構造および事前組み立てされたユニットを形成し、後から家の床板（１９）、天井板（２６）もしくは側壁（２２）に取り付け可能であるか、または外側から前記家の壁に取り付け可能であるユニットとして実装されることを特徴とする、請求項１１または１２に記載の外壁システム。
【請求項１４】
前記床板（１８）、前記天井板（２４）および前記側壁（２０）が合わせて、事前に組み立てられた箱状のユニットを形成し、既存のバルコニー、テラスまたはロジアに後から設置可能であるか、または外部で建物の壁に取り付け可能であり、前記可動の外壁（２８）の位置に応じて既存の内部空間（１４）を選択的に拡大することを特徴とする、請求項１１〜１３のいずれか１項に記載の外壁システム。
【請求項１５】
前記外壁システム（１０）の床板（１８）、天井板（２４）または側壁（２０）との間に、および前記家の床板（１９）、天井板（２６）または側壁（２２）との間に断熱材（６２）が備えられていることを特徴とする、請求項１３または１４に記載の外壁システム。
【請求項１６】
前記側壁（２０）、前記天井板（２４）および／または前記床板（１８）と一体化された照明部分および／または電源線を有することを特徴とする、請求項１１〜１５のいずれか１項に記載の外壁システム。
【請求項１７】
前記天井板（２４）、前記床板（１８）および／または前記側壁（２０）と一体化した暖房部、冷房部および／または排水口水路を有することを特徴とする、請求項１１〜１６のいずれか１項に記載の外壁システム。
【請求項１８】
前記床板（１８）、前記天井板（２４）および／または前記側壁（２０）が、家の床板（１９）、天井板（２６）もしくは側壁（２２）に設置されていることを特徴とする、請求項１１〜１７のいずれか１項に記載の外壁システム。
【請求項１９】
前記床板（１８）は家の床板（１９）に設置可能であるように形成され、前記家の床板（１９）に対して外側へ突出することを特徴とする、請求項１１〜１８のいずれか１項に記載の外壁システム。
【請求項２０】
請求項１〜１９のいずれか１項に記載の外壁システムを既存の建物（１２）に設置するための方法であって、前記方法は、
−前記可動の外壁（２８）のための収納部分（４４）を、内部の部屋に隣接しているかまたは中にある前記既存の建物（１２）に固定するステップであって、前記内部の部屋は既存の外部空間に対して開放可能である、ステップと、
−前記内部の部屋が前記可動の外壁（２８）の位置に応じて選択的に拡大可能となるように、前記収納部分（４４）内に前記可動の外壁（２８）を取り付けるステップと、
−前記収納部分（４４）を前記既存の建物（１２）に固定するように後から前記既存の建物（１２）に固定可能である床板（１８）、天井板（２４）および／または側壁（２０）に前記収納部分（４４）を固定するステップと、
を含むことを特徴とする、方法。
【請求項２１】
前記収納部分（４４）が、床板（１８）、天井板（２４）および／または側壁（２０）とともに事前に互いに固定され、作成されたユニットが家の床板（１９）、天井板（２６）および／または側壁（２２）に取り付けられることを特徴とする、請求項２０に記載の方法。
【請求項２２】
前記床板（１８）、前記天井板（２４）および前記側壁（２０）が箱状のユニットを画定するように事前に組み立てられており、前記ユニットが家の床板（１９）に取り付けられ、前記建物（１２）に固定されることを特徴とする、請求項２０または２１に記載の方法。
【請求項２３】
前記箱状のユニットが既存のバルコニーまたは既存のロジアに取り付けられることを特徴とする、請求項２２に記載の方法。
【発明の詳細な説明】
【技術分野】
【０００１】
本発明はクレーム１の上位概念による可動の外壁を備えた建物の外壁システム、および本発明に基づく外壁システムの既存の建物への設置方法に関する。
【背景技術】
【０００２】
外壁システムは建築分野において、例えばスチールまたは鉄筋コンクリートで構成されるマンション新築の骨格構造の建築の際等、様々な実施形態で実行される。この建築方法では負荷軽減のため天井と垂直な柱とから構成される耐力骨組みが製造され、ここに非耐力の充填物が設置される。非耐力部分である建物の保護外壁またはファサードは骨組みの完成後初めて建物の耐力部分に取り付けされる。
【０００３】
さらに例えば大部分においてガラス、金属、またはプラスチックから構成された、個々の事前に完成されたファサード部分またはファサードシステムが使用され、これらは建物の耐力構造に固定され、密閉された外壁と充填物によって連結される。壁部分は工場で事前組み立てされ、窓部分、断熱材および防音材、換気部分、または例えば光遮断のための部分を備え、これにより現場での組み立てを大幅に短縮することができる。個々の外壁部分の可変部分によって外壁またはファサードの個別調整および形成も可能である。
【０００４】
新築の建物での使用の他、外壁システムは既存の建物の改築または刷新においてもさらにその重要性を増している。既存のファサードまたは外壁をより優れた断熱性を備えた新しい外壁システムと交換することにより、これに応じた建築上の構成の他、既存の建物のより優れた断熱が可能になり、これにより相当な省エネルギーが達成できる。
【０００５】
同種のフランス公開特許公報第２７３０２５９Ａ１号から外壁システムが公知であり、ここでは直線レールにより壁がその伸長方向に対して垂直に移動可能であり、これにより住居およびテラス部分が可変的に分離可能となる。
【０００６】
ドイツ公開特許公報第２００９０１１２２０Ａ１号では、家の側壁を形成する２つの箱状の互いに入り込んだユニットから構成される建物が示されている。多かれ少なかれ互いに入り込むユニットの構造により、居住空間を変更することができる。
【０００７】
欧州特許出願第１６５４９５８Ａ１号ではキャスター上に設置された棚分離壁システムが提案されている。
【０００８】
伸長方向に対して垂直に直線誘導部分から移行可能な折り畳み式壁がフランス公開特許公報第１１０３５１０Ａ号で開示されている。これと類似のシステムがＰＣＴ国際出願第２００７／０８３９２２Ａ１号で提示されているが、ここでは電動式調整のための、および側壁に沿って壁を畳むためのラックを備える。
【発明の概要】
【発明が解決しようとする課題】
【０００９】
上述の発明により建築における新たな設計可能性をもたらす、建物のための外壁システムが提示される。
【課題を解決するための手段】
【００１０】
本発明による建物の外壁システムは可動の外壁と可動の外壁のための収納部分を備え、可動の外壁は、内部空間と進入可能な外部空間とを隔て、少なくとも２つの閉鎖位置の間で可逆的に調整可能であり、各閉鎖位置において施錠可能であり、各閉鎖位置において内部空間を外側から仕切る。収納部分は可動の外壁が移動可能に設置されている少なくとも１つのレールを備え、ここでレールは、可動の外壁が内部の閉鎖位置と外部の閉鎖位置との間で可動であるように構成され、外部の閉鎖位置で外部空間の少なくとも一部が内部空間に入り込み、その面積がこれにより拡大する。建物の概略図で見ると、レールは軌道カーブを形成し、床および／または天井を走る。あるいは、レールは対向する側壁に備えられ、側面図においてそれぞれ軌道カーブを描いている。可動の外壁は軌道カーブに沿って閉鎖位置の間で移行可能であり、軌道カーブの走行において中間位置へ調整可能であり、ここで稼働の外壁は、外壁および内壁を少なくとも部分的に決定する側壁または天井に沿って移行し、この際中間位置において外部空間および内部空間が完全に互いに入り込む。
【００１１】
内部空間はここでは、例えば可動の外壁により外部に向かって分離される建物の居住空間である。可動の外壁は外壁への機能的要求を全て満たすため、外部空間は外壁が固定可能な各閉鎖位置において、例えば湿気、風、温度等外部の影響から保護されている。進入可能な外部空間は特に、内部空間または他の空間からも進入可能なバルコニー、ロジアまたはテラスである。内部の閉鎖位置で外壁は内部空間と外部空間との間に配置されているため、外部空間と内部空間とが外壁により分離され、外部空間が周囲と繋がっている。外部の閉鎖位置では外部空間の少なくとも一部または外部空間全体が内部空間へ入り込むため、外部に向かって分離されている。内部空間の面積はこのため拡大し、これにより、温度調整可能な空間がより広くなる。本発明の外壁システムにより、このため、建物の空間をフレキシブルに使用することができる。つまり、外部空間は閉鎖ポジションに依存せず、暖房を入れた内部空間または暖房を入れていない 外部空間として使用可能である。このように、冬には例えばバルコニーを完全に居住空間として、夏にはオープンスペースとして使用できる。簡単な構造のため、本発明の外壁システムは建物の新築の際にも、また既存の建物の改築および刷新の際にも使用できる。外壁システムをこれに応じて断熱化することで、さらに既存の建築物においても熱遮断部分の改善が可能となる。
【００１２】
建物の概略図で見ると、レールは軌道カーブを形成し、床または天井を走る。外壁は軌道カーブに沿って２つのポジションの間を、好ましくは全体として移行可能であり、これにより外壁は非常に省スペースな形で１つの閉鎖位置から第２の閉鎖位置へと移動可能である。必要となるのは、床のレールと天井のレールとの間の空間を空けておくことだけである。外部空間に家具がある場合、これを動かす必要はない。
【００１３】
可動の外壁は、既に述べたように、中間位置へ調整可能であり、ここで外壁は、外壁および内壁を少なくとも部分的に決定する側壁または天井に沿って移行する。この中間位置で外部空間と内部空間とは完全に互いに入り込むため、完全に開放した空間が生じ、夏には居住のために快適な気候環境となる。
【００１４】
柔軟性をより高め、外壁の移動可能性をより容易にするために、可動の外壁は複数の壁部分を備えることが好ましい。これらは互いに分離し、充填物が備えられているため、それぞれ可動であり、各閉鎖位置において密閉された外壁と合体可能である。壁部分は特に揺動可能に互いに連結されてもよい。
【００１５】
後に図面で示す実施形態において本発明のシステムの動作および利用は、１つの閉鎖位置における外壁の内面が他方の閉鎖位置における外壁の外面になることによって改善され、これにより外壁が閉鎖位置の間で方向転換し、これは軌道カーブにより可能となる。
【００１６】
壁部分は例えば、壁部分がユニットとして移動可能であり、１つの閉鎖位置から第２の閉鎖位置への移動が容易になるように互いに連結可能である。この連結は例えばヒンジまたは他の可動の連結部分により可能である。
【００１７】
可動の外壁は、選択的に外部空間に向かって内部空間を開放する少なくとも１つの窓および／または閉鎖可能な扉を有することが好ましい。外部空間は扉によって例えば内部空間から進入可能である。さらに窓から十分な部屋への射光が確保される。
【００１８】
可動の外壁は水平または垂直に移行可能に設置されている。外壁はこうして例えば側壁を越えて水平に、または例えば部屋の天井を越えて垂直に１つの閉鎖位置から第２の閉鎖位置に移行可能である。
【００１９】
収納部分は少なくとも１組の平行に走るレールを有することが好ましい。
【００２０】
外壁は垂直または外壁の伸長平面を横切って、好ましくは全体として、外壁の閉鎖位置の間を移行可能である。
【００２１】
対になったレールのレールは外壁の対向する側に配置されているため、外壁が確実に対になったレールに誘導される。外壁は全体として移行可能であるが、対になったレールにおいてそれぞれ１つの外壁の壁部分が誘導されることも考えられる。
【００２２】
好ましい実施形態において、軌道カーブは建物の概略図で見ると、Ｕ字型またはアーチ型に移行する。レールの軌道カーブはこの際部分的に移動可能な外壁に隣接する壁に沿って移行するように選択されることが好ましく、これにより軌道カーブを、外壁が部屋の壁に沿って移行する中間位置において停止させることができる。
【００２３】
第２の実施形態ではレールは対向し固定された壁の上または中に設置され、可動の壁は垂直に閉鎖位置の間を移行可能である。可動の外壁は第１の閉鎖位置から垂直に部屋の天井を越えて第２の閉鎖位置へ移行可能である。レールは床または天井に設置されていないため、これらを完全に使用することができる。さらに、特に床のレールを汚れから保護するための予防が不要である。
【００２４】
外壁システムの収納部分を理想的に部屋に一体化するため、収納部分は同一平面上に部屋の天井および／または床と同一平面上に部屋に連結される。収納部分は天井もしくは床の中に完全に埋め込まれており、突出しない。
【００２５】
外壁システムの外壁は手動で１つの閉鎖位置から第２の閉鎖位置へ移動可能である。またモーター駆動装置および制御装置を備えることも考えられ、これにより可動の外壁が外部の閉鎖位置から内部の閉鎖位置へ移動可能である。
【００２６】
制御は手動で、時間制御により、またはセンサーによって起動可能である。こうして外壁は、例えば降水、風またはこれに応じた気温等気候条件に応じて、または時刻に応じて移行可能である。
【００２７】
好ましい実施形態によれば、外壁システムは追加の、既に収納部分を備えた後から取り付け可能な床板および天井板を有してもよい。外壁システムの組み立てはこうして、現地での部屋の天井または床への収納部分の面倒な組み込みが不要であるため、特に改築の際に格段に単純化される。追加の天井板もしくは床板を建物に固定する必要があるのみである。こうして可変な建築部分から構成される迅速に組み立て可能なモジュールが実現する。可動の外壁により建物の天井もしくは床に影響を与える負荷は、加の床板もしくは天井板の全ての面を通して建物へ導入可能である。床板および／または天井板により例えば建物の天井および／または床の凸凹をならすことができるため、収納部分のための平らな平面が作られ、必要な断熱効果が得られる。
【００２８】
さらに、外壁システムが天井板と床板とを繋ぐ２つの対向する側壁を有することも考えられる。側壁は一方で天井板を支えることができるため、建物の天井の天井板の面倒な固定が不要であり、他方では側壁に追加の導線または断熱材を配置することも考えられ、これにより例えばより優れた内部空間の断熱が実現可能である。後から取り付ける床の壁、天井の壁、および側壁により拡大可能な部屋が断熱される。
【００２９】
床板、天井板および側壁はそれぞれ自立した構造および事前組み立てされたユニットを形成することが好ましい。これらの事前組み立てされたユニットは、後から家の床板、天井板もしくは側壁に取り付け可能な、または外部で建物の壁に組み立て可能なユニットとして実行可能であり、工場で事前組み立てされ、ユニットとして搬送され、例えばクレーンで外から建物の中へ設置されるか、または建物に組み立てられる。建物への組み立て時間はこれにより大幅に短縮可能である。
【００３０】
ユニットは複数の層で実行され、断熱材を有することが好ましい。
【００３１】
床板、天井板および壁はさらに事前に完成された箱状のユニットを形成してもよく、既存のバルコニー、テラスまたはロジアに後から設置可能であり、または外部で建物の壁に取り付け可能であり、これにより大型のパネル建築の改築が容易になる。
【００３２】
床板、天井板および／または側壁は家の床板、天井板もしくは.側壁に設置されることが好ましい。これにより既存の建物での面倒な事前作業が不要となる。
【００３３】
建物の外部に、支え部分、支柱または他の可能な固定のための部分が備えられていることも考えられ、床板、天井板および／または側壁がこれらに固定されており、これにより外壁システムが完全に建物の外壁の外部に組み込まれている。
【００３４】
各閉鎖位置において内部空間の断熱を可能にするために、外壁システムの床板と、天井板および／または側壁との間に、および家の床板と天井板もしくは.家の側壁との間に断熱材が備えられている。こうして遮断部分が外壁システムに組み立てられるため、建物での面倒な作業を要することなく建物の断熱が容易になる。
【００３５】
側壁、天井板または床板が一体化された照明部分および／または電源線を備えることが考えられる。
【００３６】
さらに外壁システムは、特に天井板、床板および／または側壁に一体化された暖房部および冷房部を備えてもよい。
【００３７】
外壁システムは排水口水路を備える。これにより外壁の内部の閉鎖位置において外部空間の水の排水が可能になる。外壁の外部の閉鎖位置では内部空間への排水口水路が閉鎖されているため、外部から水が内部空間へ侵入しない。
【００３８】
床板は例えば家の床板に設置可能に形成され、家の床板に対して外側へ突出してもよい。このため本発明の外壁システムによって部屋もしくは建物の既存の面積の拡大も可能となる。
【００３９】
本発明により、さらに本発明の外壁システムの既存の建物への設置方法が提示される。この方法は以下の段階を有する。
-       
各外壁のための収納部分の、既存の外部空間に対して開放可能なある内部空間および／または既存の内部空間に隣接した、既存の建物への固定。および、
-       
収納部分での可動の外壁の組み立て。これにより既存の内部空間が可動の外壁のポジションに応じて選択的に拡大可能であり、この際、
-       
収納部分が後から建物に固定可能な床板、天井板および／または側壁に取り付けられ、これによって既存の建物（１２）に固定される。
【００４０】
収納部分はこの場合、これらの床板、天井板および／または側壁によって既存の建物に固定される。
【００４１】
本発明の方法は新築の建物に使用できる一方で、この方法を既存の建物の改築に使用することも好ましい。
【００４２】
本方法の発展形において、これに属する床板、天井板および／または側壁とともに事前に互いに固定される。作成されたパネル建築型のユニットは家の床板、天井板および／または側壁に取り付けられる。収納部分は例えば床板、天井板および／または側壁の製作中に既にこれらの内部または上に固定されてもよく、これにより収納部分を容易に床板、天井板および／または側壁と同一平面上に実行できる。
【００４３】
本方法の好ましい実施形態では床板、天井板および側壁は既に箱状のユニットに事前組み立てされている。ユニットは家の床板に取り付けられ、建物に固定される。外壁システムはこのように完全に事前組み立てされ、これにより現場での、もしくは建物への組み立て時間を短縮可能である。
【００４４】
箱状のユニットは既存のバルコニーまたは既存のロジアに取り付けられることが好ましい。
【００４５】
他の利点および特徴が、添付の図面との関連において以下のように記述される。以下のとおり図に示す。
【図面の簡単な説明】
【００４６】
【図１】本発明の外壁システムの概略図。
【図２】図１の外壁システムの断面図。
【図３】外壁システムの外観図。
【図４】図１の外壁システムの外壁の第１の閉鎖位置における内部の投影図。
【図５】外壁の第２の閉鎖位置における図４の外壁システム。
【図６】外壁の中間位置における図４の外壁システム。
【図７】図７ａ〜図７ｃは図１の外壁の異なる位置における外壁システムの概略図。
【図８】図７の外壁システムの発展形。
【図９】図９ａおよび図９ｂは図１の外壁システムの垂直断面図および概略図。
【図１０】図１０ａ〜図１０ｃは図１の外壁システムの詳細図。
【図１１】図１１ａ〜図１１ｃは外壁が異なる位置にある図１の外壁システムにおける建物部分の概略図。
【図１２】図１２ａ〜図１２ｃは本発明の外壁システムの第２の実施形態における建物の概略図。
【図１３】本発明の外壁システムの異なる位置決め可能性を有する建物の概略図。
【図１４】本発明の外壁システムの異なる位置決め可能性を有する建物の概略図。
【図１５】本発明の外壁システムの異なる位置決め可能性を有する建物の概略図。
【図１６】図１６ａおよび図１６ｂは本発明の外壁システムの他の実施形態。
【図１７】本発明の外壁システムの異なる実施形態の概略図。
【図１８】本発明の外壁システムの異なる実施形態の概略図。
【図１９】本発明の外壁システムの異なる実施形態の概略図。
【図２０】本発明の外壁システムの異なる実施形態の概略図。
【図２１】本発明の外壁システムの異なる実施形態の概略図。
【図２２】可動の外壁の収納部分の異なる実施形態における本発明の外壁システムの概略図。
【図２３】可動の外壁の収納部分の異なる実施形態における本発明の外壁システムの概略図。
【図２４】可動の外壁の収納部分の異なる実施形態における本発明の外壁システムの概略図。
【図２５】垂直に移動可能な外壁の２つの実施形態。概略図。
【図２６】垂直に移動可能な外壁の２つの実施形態。
【図２７】図２７ａ〜図２７ｆは建物における本発明の外壁システムの配置の実施例。
【発明を実施するための形態】
【００４７】
図１では建物１２のための、内部空間１４と進入可能な外部空間１６を有するフレキシブルな外壁システム１０を示す。外部空間１６はここでは内部空間１４から進入可能なバルコニーである。外壁システム１０は床板１８を備え、ここで床板１８の輪郭線は基本的に外部空間１６の完全な輪郭線を取っており、家の側面の床板１９に設置され、またそれぞれ建物１２の側壁２２と平行に取り付けられ固定された、向かい合う２つの側壁２０に設置されている。図２に示すように、外壁システム１０はさらに建物１２の天井板２６に固定されている天井板２４を有する。
【００４８】
外壁システム１０は、互いに連結された壁部分３０、３２、３４が合体した可動の外壁２８を備える。特に図３で示すように、ここで図３の右の壁部分３４は内部空間１４を外部空間１６に対して開放可能は扉３６を有する。他の壁部分３０、３２はそれぞれ窓３８、４０を有する。外壁システム１０には、建物１２の前に手すり４２が設置されている。
【００４９】
外壁システム１０は、ここでは一組のレールである収納部分４４を有し、可動の外壁２８が水平方向Ｒに移動可能に設置されている（図１を参照）。収納部分４４の第１のレール４６はここで床板１８に設置され、第２のレール４８は天井板２４に取り付けられている（図２を参照）。レール４６および４８はそれぞれＵ字型に形成され、第１の部分では内部空間１４と外部空間１６との間を、第２の部分では外部空間１６の側壁２０と平行に、第３の部分ではバルコニーの外側に沿って取り付けられている。
【００５０】
外壁システム１０の収納部分４４は内部の閉鎖位置５０および外部の閉鎖位置５２を有し、ここに可動の外壁２８をそれぞれ固定することができる。外壁２８は収納部分４４に保持されているため、閉鎖位置５０、５２それぞれもう一方の閉鎖位置５０、５２へ逆方向に移動可能である。各閉鎖位置５０、５２は、可動の外壁２８が閉鎖位置５０、５２に固定可能であり、内部空間１４が閉鎖位置５０、５２に固定された外壁２８により外部領域５４から分離され、このため内部空間１４は外部領域５４から分離された温度調整可能な空間となる点において特徴的である。
【００５１】
可動の外壁２８により温度調整可能な内部空間１４の大きさまたは面積が可変的に変更可能である。外側の閉鎖位置５２では外部空間１６が完全に内部空間１４または温度調整可能な空間に移行するため、この大きさまたは面積が大きくなる。このように、冬季などの悪天候下では使用できない外部空間１６の面積は少なくとも部分的に内部空間１４に移行可能であるため、悪天候下でも使用できる。
【００５２】
図４〜６に基づき機能の原則を再度示す。図４では可動の外壁２８が内部の閉鎖位置５０で固定されているため、内部空間１４が外部空間１６から分離されている。温度調整可能な空間はここでは内部空間１４の容量に相応し、外部空間１６（バルコニー）は外部領域５４（建物の周囲）と関連する。壁部分３４にある扉３６により外部空間１６は内部空間１４から進入可能であり、このため外部空間１６をバルコニー、テラスまたはロジアとして使用できる。
【００５３】
可動の外壁２８は収納部分４４に沿って図６で示す中間位置５６を越えて外部の閉鎖位置５２へ移動可能である。中間位置５６では内部空間１４と外部空間１６とが互いの内部へ入り込むため、広い一続きの空間が生じ、夏季には快適な住居の開放的空間となる。
【００５４】
図５で示す外部の閉鎖位置５２では可動の外壁２８は建物１２の外側、つまり外部空間１６と外部領域５４との間に配置されている。この閉鎖位置では、可動の外壁２８は以前の外部空間１６の周囲に拡大された内部空間１４を外部領域５４から分離する。温度調整可能な空間は拡大されている。こうして外部空間１６は外部の閉鎖位置では、例えば冬季には暖房可能な居住空間として使用できる。
【００５５】
可動の外壁２８は収納部分４４に沿って簡単に閉鎖位置５０、５２から第２の閉鎖位置５０、５２へ以降可能であるため、可動の外壁２８の閉鎖位置を天候条件の変化に迅速に適応できる。図４〜６で示すように、可動の外壁はＵ字形の収納部分４４に沿って移動されるため、外部空間１６はこの処置の間も完全に使用することができる。外部空間１６に設置された家具は可動の外壁２８の移動のために取り外す必要はない。
【００５６】
可動の外壁２８は手動で収納部分４４に沿って移動でき、またここには示されていない可動の外壁２８を収納部分４４に沿って移動させるモーター駆動装置を備えることもできる。モーター駆動装置はさらに、手動で、時間制御により、またはセンサーによって起動可能な制御装置を有してもよい。時間制御により、例えば可動の外壁２８の時刻に応じた移動、または時刻に応じた、太陽の位置に合わせた閉鎖ポジションの適応が可能になる。
【００５７】
可動の外壁２８が夏季の昼の時間に時間制御により内部の閉鎖位置５２へ移行されることも考えられ、これにより鋭角で入り込む強力な日光が外部空間１６のみを温め、内部空間１４は温められず、これにより内部空間１４の温度が急上昇することを避けられる。低い角度で入り込む日光の場合は反対に、可動の外壁２８を外部の閉鎖位置５２に移動可能であり、これにより内部空間１４を温めるために日光を利用することができる。さらに日没の際の日光により、内部空間１４のより良い照明が可能である。
【００５８】
制御は例えば光センサーやレインセンサーのような様々なセンサーによりなされてもよく、これにより例えば雨が降った際可動の外壁２８が外部の閉鎖位置５２へ移動され、外部空間１６に配置された家具を保護することができる。
【００５９】
図７ａ〜７ｃでは再度、本発明の外壁システム１０の機能の原則の概要を、様々な位置にある可動の外壁２８が示される建物１２の概略図に基づき示す。図７ａでは可動の外壁２８は内部の閉鎖位置５０に固定され、内部空間１４が外部空間１６から分離されている。図７ｂでは可動の外壁２８が中間位置５６へ側壁に沿って移行され、内部空間１４と外部空間１６が完全に互いの内部へ入り込む。図７ｃでは可動の外壁２８が外部の閉鎖位置へ移行され、外部空間１６が内部空間１４ 内に移行する。
【００６０】
ここに示す２つの閉鎖ポジションを有する本発明の外壁システム１０の実施形態の他、複数の閉鎖位置を有する実施形態が考えられる。図８では、複数の、ここでは４つの閉鎖位置を有する外壁システム１０の概略図を示す。内部の閉鎖位置５０の他、ここに示す外壁システム１０は３つの外部の閉鎖位置５２、５８、６０を有し、ここで可動の外壁２８はそれぞれ 固定可能であり、これにより内部空間１４と外部とが分離される。閉鎖位置５８、６０ではそれぞれ外部空間１６の一部のみが内部空間１４内に移行する。本発明の外壁システム１０の閉鎖位置の位置および数は任意に変更可能である。
【００６１】
外壁システム１０の構造を図９ａおよび ９ｂ、また収納部分の詳細図を図１０ａ〜１０ｃに再度示す。図９ａに示す断面図および図９ｂに示す概略図に見られるとおり、外壁システム１０の天井板２４、床板１８、および壁２０はそれぞれ遮断部分 ６２ を備える。これは. 床板１８、天井板２４および 側壁２０の全表面に配置され、これにより可動の外壁２８の閉鎖位置５０、５２、５８、６０のどれが選択されても、可動の外壁２８との関係において内部空間１４の外部領域５４に対する十分な遮断が保たれる。
【００６２】
図１０ａ〜１０ｃの詳細図では可能な遮断部分６２の構造を例示するが、これとは異なる、気候条件および地域の建築規則に応じた他の遮断部分６２の構造も可能である。
【００６３】
１０ａでは、外壁２８に取り付けられ、レールへ突出するスライド部分６３も示す。
【００６４】
側壁２０、床板１８および天井板２４ではさらに、例えば電気機器、暖房部、冷房部への接続のための電源線が備えられていてもよい。また、暖房部、冷房部、照明装置、換気装置または考えられる電気的な接続を外壁システム１０に一体化することも考えられる。
【００６５】
外壁システム１０の床板１８にはさらに、図１０ｂおよび１０ｃに示す排水口６４が備えられている。これにより、可動の外壁２８を内部の閉鎖位置５０に固定する際の外部空間１６からの雨水の排出が可能になる。図１０ｃに示すように、可動の外壁２８は、外壁２８が外部の閉鎖位置５２、５８、６０での固定の際に排水口６４を閉鎖するように構成されている。
【００６６】
図１１ａ〜１１ｃでは再度、可動の外壁２８が様々な閉鎖位置にある本発明の外壁システム１０の建物の断面図の斜視図を示す。図１１ａでは可動の外壁２８は内部の閉鎖位置５０にあり、図１１ｂでは中間位置５６に、また図１１ｃでは外部の閉鎖位置５２にある。
【００６７】
図１１ａ〜１１ｃに示すように、外壁システム１０の床板１８、天井板２４および側壁２０は箱状のユニットを形成する。上記の場合これは自立しているため、外壁システム１０は単に建物１２の床板１９上に設置され、建物１２に固定されるのみでよい。ここに示す外壁システム１０はこのため完全に事前組み立て可能であり、事前組み立てされた箱状ユニットとして建物１２に設置可能である。外壁システム１０はこのように、例えば工場で事前組み立て可能であり、また事前組み立てされたユニットとして建築現場へ搬送可能であり、このため単に建物１２または室内に設置されるだけでよい。このため、外壁システムの建築現場または建物１２への面倒な取り付けは不要である。外壁システム１０は、建築上の大規模な負担なく居住面積を拡大でき、断熱性を改善することができるため、パネル建築または大型住居の改築に極めて適している。
【００６８】
外壁システム１０はここに示す実施形態において建物１２内に大幅に入り込んでいるため、外壁システム１０は建物１２の床板１９の外側と相当同一平面上に連結される。
【００６９】
１２ａ〜１２ｃに例示するように、外壁システム１０が建物１２の外面または床板１９を越えて外側へ張り出すことも考えられ、これにより、本発明の外壁システム１０によって建物１２の面積の拡大が可能になる。
【００７０】
外壁システム１０はまた、建物１２のある建物の壁の完全に外部に取り付けることもできる。この場合、外壁システム１０は例えば外側に備えられた支柱に設置され、または建物の壁に固定された支え部分に取り付けられている。ここで、取り付け条件に応じて外壁システム１０は天井板２４、床板１８および／または側壁２０により支え部分に固定することができ、これにより外壁システム１０は選択的に支え部分に載っているか、またはこれに取り付けられて掛かっている状態になる。これとは異なる建物の壁に固定する他の可能性も考えられる。
【００７１】
図１３〜１５ではそれぞれ外壁システム１０の建物１２への様々な配置可能性を例示する。図１３ではバルコニー／ロジアは完全に屋根で覆われ、建物１２の外面と同一平面上に連結し、一方図１４ではバルコニーは完全に建物１２の外壁の前に位置する。この場合外壁システム１０は建物の前に位置するバルコニー状に設置できるが、外壁システムが完全に外側で建物の壁に固定されることも考えられる。図１５ではバルコニー／ロジアは部分的に建物１２内に引き込まれている。外壁システムはそれぞれバルコニー全体／ロジア全体をカバーする。
【００７２】
これまでに示されたような、外壁システム１０が自立した構造を形成し、または事前組み立てされた全体として建物１２に取り付け可能なユニットである実施形態とは異なる、側壁２０または天井板２４、床板１８を有さない実施形態も考えられる。
【００７３】
既に述べたように、外壁システムが完全に事前組み立てされた箱またはボックス状のユニットとして建物の側の床板１９上に設置される場合、極めて迅速な現場での取り付けが実現可能になる。
【００７４】
または、例えばクレーンの使用を避けるために、床板１８、天井板２４および側壁２０もまた事前組み立てされた個別のユニットとして事前に準備された状態で建物に合体することができる。さらにこれらの個々の部分から構成されるプレートまたは壁（例えば幅１mの部品）も、現場で合体することができる。
【００７５】
プレートと壁は例えば内部に断熱材を有する中空体であり、この際内部に台形部分やこれに類する形状の補強材が備えられてもよい。さらに場合によっては、外側に直接断熱材を事前取り付けしてもよい。
【００７６】
これまでに示した実施形態の他にも、外壁システム１０が、可動の外壁２８の収納部分４４が配置されている床板１８または天井板２４のみを有することが考えられる。天井板２４は建物１２の天井２６に固定されてもよく、これにより支持側壁２０が不要になる。床板１８および天井板２４により例えば建物の天井または建物の床の凸凹も均一化することができる。
【００７７】
図１６に示す実施形態は、外壁システム１０が床板１８と天井板２４を備えていないという点で特殊である。レール４６、４８はここでは直接建物１２の床板１９と天井板２６に設置されており、同一平面上にこれと連結する。床板１９および天井板２６にはそれぞれ断熱材６２が備えられ、これにより十分な断熱が保証される。この実施形態は新築の建物により適しており、この際レール４６、４８は天井板２６または床板１９製作の際にこれらに固定することができる。
【００７８】
以下では図１７〜２１において本発明の外壁システム１０の他の実施形態が例示される。図１７〜２１の外壁システム１０の形態に関わらず、全ての実施形態は内部の閉鎖位置５０および外部の閉鎖位置５２を有し、ここでそれぞれ可動の外壁２８が内部空間１４を外側から仕切っている。外部の閉鎖位置５２ではさらに、それぞれ外部空間１６の少なくとも一部が内部空間１４に入り込む。ここに示す実施形態はこれまで示した説明とは異なるが、これまでに使用された参照符号は全ての実施形態で使用される。以下では様々な実施形態の違いについてのみ言及する。外壁システム１０はそれぞれ外部の閉鎖位置５２（ａ）および内部の閉鎖位置５０（ｂ）における可動の外壁２８とともに示される。
【００７９】
図１７はこの際これまで示された部分的に建物１２に引き込まれている矩形の外壁システム１０の実施例を示す。
【００８０】
図１８で外壁システム１０の輪郭は円状に構成されている。可動の外壁２８はここでは半円筒形に形成され、収納部分４４の軌道は円軌道となる。この外壁システム１０の構成により、可動の外壁２８は単一部分として、接合部分無しで形成可能である。
【００８１】
円状の輪郭の代わりに多角の輪郭、例えば図１９に示す８角形の輪郭も可能である。収納部分４４の軌道は８角形となり、可動の外壁２８は複数の相互に可動の壁部分３０、３２、３４を有する。
【００８２】
図２０に示す外壁システム１０は三角形の外部空間を遮断し、可動の外壁２８はそれぞれ三角形の完全な辺を移行する。内部の閉鎖位置５０はここで三角形のひとつの辺を形成し、外部の閉鎖位置５２は第２の辺を形成する。三角形の第３の辺は側壁２２により形成される。収納部分４４は側壁２２に沿って移行し、また収納部分４４が三角形の角を越えて移行することも考えられる。
【００８３】
図２１に示す外壁システム１０は矩形の外部空間を遮断する。これまでに示した実施形態とは異なり、矩形の２つの互いに隣接する側面を分離する２つの可動の外壁２８が備えられている。
【００８４】
これまでに示した実施形態の他にも、本発明の外壁システム１０および可動の外壁２８の他の実施形態が考えられる。可動の外壁２８は単一部分として実施することができ、または複数の壁部分３０、３２、３４が合体したものでもよい。壁部分３０、３２、３４は可動に、互いに対して、および／または相互に連結可能である。壁部分３０、３２、３４が互いに分離可能であり、これにより個々に収納部分４４に沿って移動可能であることも考えられる。
【００８５】
収納部分４４は外壁システムの実施形態および構成に応じて任意に形成され得る。図２２〜２４では可動の外壁２８の収納部分４４の様々な実施形態が例示されている。ここではそれぞれ、外部の閉鎖位置５２にある（図（ａ）を参照）、中間位置５６にある（図（ｂ）を参照）、および内部の閉鎖位置５０にある（図（ｃ）を参照）可動の外壁２８を示す。
【００８６】
図２２ではアーチ型またはＵ字型の収納部分４４が例示され、ここには３部分から構成される可動の外壁２８が収納されている。中間位置５６では可動の外壁２８は完全に側壁２２と接触させることができ、これにより内部空間１４および外部空間１６が完全に互いに入り込む。
【００８７】
図２３に示す収納部分４４の実施形態では収納部分４４の角にそれぞれ切替装置６５を有する。ここで選択されたレール４６、４８の形状により、可動の外壁２８は、閉鎖位置５０、５２からそれぞれ他方の閉鎖位置５０、５２への移行の際に、完全に側壁２２に接触する中間位置に移行しなくてもよい。切替装置６５の他の位置においては反対に、可動の外壁２８は側壁２２に沿って、可動の外壁２８が完全に側壁２２に接触する中間位置に移行される。
【００８８】
図２４では同様に２つの壁部分３０、３２から構成される既存の可動の外壁２８を示す。壁部分３０、３２は同様に互いに分離することができ、それぞれ両方の側壁２２に沿ったＵ字型の収納部分４４を有する。
【００８９】
可動の外壁２８が伸長方向へと移行する代わりに、可動の外壁２８が伸長方向と垂直、すなわち垂直方向に移行することも考えられる。図２５および２６の断面図で示すように、収納部分４４のレール４６、４８はそれぞれ側壁２２に接して配置され、外部の閉鎖位置５２から外壁システム１０の天井板２４を経由して内部の閉鎖位置５０へ移行することができる。図２５に示す実施例では４６、４８は天井板２４において追加の切替装置６６を有し、これを越えて可動の外壁２８は天井板２４に沿って中間位置５６へ移行可能である。
【００９０】
それとは異なりレール４６、４８は図２６の実施形態では、可動の外壁２８が外部の閉鎖位置５２から内部の閉鎖位置５０への移行の際に完全に中間位置５６において天井板２４に接触するように構成されている。
【００９１】
本発明の外壁システム１０は新築の建物への取り付けにも、また既存の古い建物への例えば建物の改築や刷新のための取り付けにも適している。可動の外壁２８もしくは外側から確認できる外壁システム１０の部分をこれに応じて形成することによって、さらに建物１２のファサードを後から変更または形成することもできる。
【００９２】
建物１２の天井もしくは床板に必要とされる部屋の大きさもしくは負荷能力が備わっている限り、建物１２の外壁システム１０の任意の配置が考えられる。図２７ａ〜２７ｆでは建物１２における異なる外壁システム１０の配置が例示されている。ここで示す実施例では、外壁システム１０はそれぞれ建物１２の外面と同一平面上に連続して示されている。ただし、本発明の外壁システム１０が建物１２の位置に依存せず建物１２の外壁から突出して形成されてもよいことは明らかである。
【００９３】
図２７ａでは外壁システム１０は例として建物１２の一階に配置されている。外部空間１６はここでは例えば建物の前に設置されているテラス部分に入り込むか、もしくは外壁システム１０の突出した形態においてはテラスの一部を形成してもよい。図２７ｂでは外壁システム１０は建物１２の上階に配置されている。図２７ｃおよび２７ｄでは外壁システム１０はそれぞれ建物１２の屋根裏部屋に配置されている。図２７ｃに示す実施形態では建物の屋根の一部が取り外されるか、もしくは外壁システム１０の天井板２４により置き換えられている。
【００９４】
図２７ｅに示す実施例ではさらに建物１２の中間天井が取り外され、これにより外壁システム１０が複数階、ここでは２つの階を越えて移行できる。図２７ｆに示す実施例では反対に中庭に向かって設置されている。
【図１】
0005486677.tif 000002
【図２】
0005486677.tif 000003
【図３】
0005486677.tif 000004
【図４】
0005486677.tif 000005
【図５】
0005486677.tif 000006
【図６】
0005486677.tif 000007
【図７ａ）】
0005486677.tif 000008
【図７ｂ）】
0005486677.tif 000009
【図７ｃ）】
0005486677.tif 000010
【図８】
0005486677.tif 000011
【図９ａ）】
0005486677.tif 000012
【図９ｂ）】
0005486677.tif 000013
【図１０ａ）】
0005486677.tif 000014
【図１０ｂ）】
0005486677.tif 000015
【図１０ｃ）】
0005486677.tif 000016
【図１１ａ）】
0005486677.tif 000017
【図１１ｂ）】
0005486677.tif 000018
【図１１ｃ）】
0005486677.tif 000019
【図１２ａ）】
0005486677.tif 000020
【図１２ｂ）】
0005486677.tif 000021
【図１２ｃ）】
0005486677.tif 000022
【図１３ａ）】
0005486677.tif 000023
【図１３ｂ）】
0005486677.tif 000024
【図１４ａ）】
0005486677.tif 000025
【図１４ｂ）】
0005486677.tif 000026
【図１５ａ）】
0005486677.tif 000027
【図１５ｂ）】
0005486677.tif 000028
【図１６ａ）】
0005486677.tif 000029
【図１６ｂ）】
0005486677.tif 000030
【図１７ａ）】
0005486677.tif 000031
【図１７ｂ）】
0005486677.tif 000032
【図１８ａ）】
0005486677.tif 000033
【図１８ｂ）】
0005486677.tif 000034
【図１９ａ）】
0005486677.tif 000035
【図１９ｂ）】
0005486677.tif 000036
【図２０ａ）】
0005486677.tif 000037
【図２０ｂ）】
0005486677.tif 000038
【図２１ａ）】
0005486677.tif 000039
【図２１ｂ）】
0005486677.tif 000040
【図２２ａ）】
0005486677.tif 000041
【図２２ｂ）】
0005486677.tif 000042
【図２２ｃ）】
0005486677.tif 000043
【図２３ａ）】
0005486677.tif 000044
【図２３ｂ）】
0005486677.tif 000045
【図２３ｃ）】
0005486677.tif 000046
【図２４ａ）】
0005486677.tif 000047
【図２４ｂ）】
0005486677.tif 000048
【図２４ｃ）】
0005486677.tif 000049
【図２５ａ）】
0005486677.tif 000050
【図２５ｂ）】
0005486677.tif 000051
【図２５ｃ）】
0005486677.tif 000052
【図２６ａ）】
0005486677.tif 000053
【図２６ｂ）】
0005486677.tif 000054
【図２６ｃ）】
0005486677.tif 000055
【図２７ａ）】
0005486677.tif 000056
【図２７ｂ）】
0005486677.tif 000057
【図２７ｃ）】
0005486677.tif 000058
【図２７ｄ）】
0005486677.tif 000059
【図２７ｅ）】
0005486677.tif 000060
【図２７ｆ）】
0005486677.tif 000061